(57)【特許請求の範囲】
【請求項１】
キャビネットの端部の側面に取り付けられ、前記キャビネットの上面より突出して設けられる上ケース体と、該上ケース体の下方に設けられ脱臭部を有した機器本体とを備えた脱臭装置であって、
前記上ケース体は、前記キャビネット側の側面に、前記キャビネットの奥行方向両側に離間して形成された一対の開口部を備え、該一対の開口部の間に前記脱臭部で脱臭された空気を排気する第１吹出口を備えるとともに、上方側に開口する第２吹出口を備え、
前記上ケース体内には、前記脱臭部と連通する空気流通路の一部を構成し且つ前記一対の開口部の一方の開口部に臨んで配置される第１吸気口を有した第１ユニットと、前記一対の開口部の他方の開口部を塞ぐ第２ユニットとが格納され、
前記第１ユニット及び前記第２ユニットは、前記一対の開口部のどちらに対しても設置自在な構造としたことを特徴とする脱臭装置。
【請求項２】
請求項１に記載の脱臭装置において、
前記第１ユニットと第２ユニットとの間には、前記脱臭部で脱臭された空気の吹き出し方向を前記第１吹出口側及び前記第２吹出口側のいずれかに切り換えるフラップが回動自在に支持されていることを特徴とする脱臭装置。
【請求項３】
請求項２に記載の脱臭装置において、
前記機器本体に第２吸気口を設け、
前記第１吸気口から吸気されるときには前記フラップで空気の吹き出し方向を前記第２吹出口からとし、前記第２吸気口から吸気されるときには前記フラップで空気の吹き出し方向を前記第１吹出口からとしたことを特徴とする脱臭装置。
【請求項４】
請求項１乃至請求項３のいずれか１項に記載の脱臭装置において、
前記第２ユニットは、放電により発生させた帯電微粒子水を排出する静電霧化器を有することを特徴とする脱臭装置。
【発明の詳細な説明】
【技術分野】
【０００１】
本発明は、キャビネットの端部の側面に取り付けられる脱臭装置に関する。
【背景技術】
【０００２】
従来より、厨房システム及びその周辺の換気は、コンロの上方に設けられた換気扇などの脱臭装置によってなされるが、これはコンロでの調理時の換気を主としており、住居内の不快臭となる生ゴミ臭の脱臭には適していない。そこで例えば厨房システムに脱臭装置を設置することが考えられる。
このような脱臭装置としては、例えば、特許文献１に記載された側面機能箱３が挙げられる。
【０００３】
この文献の図１には、厨房システムのガス又は電気レンジ側に当たる右側面に、薄型の脱臭装置（側面機能箱）が取り付けられたものが示されている。
これによれば、この脱臭装置にはガス又は電気レンジの方向に開口した調理排気吸気口が設けられており、ここからガス又は電気レンジから生じた汚れた空気が吸い込まれ、排気口から屋外に排気されることにより、脱臭装置の設置場所の近傍が脱臭される。
【先行技術文献】
【特許文献】
【０００４】
【特許文献１】特開２００３−２５９９２６号公報
【発明の概要】
【発明が解決しようとする課題】
【０００５】
ところで、システムキッチンなどのキャビネットに対する脱臭装置の設置面は、そのキャビネットの構成や脱臭の用途などに応じて決まるため、キャビネットの右側面又は左側面に脱臭装置が設置されるパターン、あるいは両側面に設置されるパターンがある。
しかしながら、現状では、右側面設置用及び左側面設置用の２種類の仕様で脱臭装置が製造されているため、効率的に脱臭装置の製造がなされているとは言えない。特に樹脂部品の場合は、左右それぞれに対する部品を製造するための金型を左右別個に製造する必要があり、効率的とは言えない。
上記特許文献１の構成も同様であり、右側面に設置された脱臭装置と同一の構成部材を用いて左側面用のものを構成することができる構成とはなっていない。
そこで、同じ構成部材を使って右側面、左側面いずれにも対応できるような脱臭装置の開発が求められていた。
【０００６】
本発明は、上記の点を鑑みてなされたものであり、同じ構成部材を使って右側面設置用及び左側面設置用の脱臭装置を構成することができる脱臭装置を提供する。
【課題を解決するための手段】
【０００７】
上記目的を達成するために、本発明に係る脱臭装置は、キャビネットの端部の側面に取り付けられ、前記キャビネットの上面より突出して設けられる上ケース体と、該上ケース体の下方に設けられ脱臭部を有した機器本体とを備えた脱臭装置であって、前記上ケース体は、前記キャビネット側の側面に、前記キャビネットの奥行方向両側に離間して形成された一対の開口部を備え、該一対の開口部の間に前記脱臭部で脱臭された空気を排気する第１吹出口を備えるとともに、上方側に開口する第２吹出口を備え、前記上ケース体内には、前記脱臭部と連通する空気流通路の一部を構成し且つ前記一対の開口部の一方の開口部に臨んで配置される第１吸気口を有した第１ユニットと、前記一対の開口部の他方の開口部を塞ぐ第２ユニットとが格納され、前記第１ユニット及び前記第２ユニットは、前記一対の開口部のどちらに対しても設置自在な構造としたことを特徴とする。
【０００８】
本発明において、前記第１ユニットと第２ユニットとの間には、前記脱臭部で脱臭された空気の吹き出し方向を前記第１吹出口側及び前記第２吹出口側のいずれかに切り換えるフラップが回動自在に支持されていてもよい。
また本発明において、前記機器本体に第２吸気口を設け、前記第１吸気口から吸気されるときには前記フラップで空気の吹き出し方向を前記第２吹出口からとし、前記第２吸気口から吸気されるときには前記フラップで空気の吹き出し方向を前記第１吹出口からとしてもよい。
さらに本発明において、前記第２ユニットは、放電により発生させた帯電微粒子水を排出する静電霧化器を有していてもよい。
【発明の効果】
【０００９】
本発明に係る脱臭装置によれば、同じ構成部材を使って右側面設置用及び左側面設置用の脱臭装置を構成することができる。
【図面の簡単な説明】
【００１０】
【図１】（ａ）は、本発明の一実施形態に係る脱臭装置がキャビネットの右側面に取り付けられた状態を示す模式的斜視図であり、（ｂ）は、同脱臭装置の模式的斜視図である。
【図２】同脱臭装置の上ケース体の構成部材を示す模式的分解斜視図である。
【図３】図１（ｂ）の脱臭装置の内部を裏側から見た模式的斜視図である。
【図４】フラップにより空気の吹き出し方向が切り換わる様子を示す同脱臭装置の模式的断面図であり、（ａ）は、第１吹出口が開口した状態を示す図、（ｂ）は、第２吹出口が開口した状態を示す図である。
【図５】同脱臭装置のブロック図である。
【図６】（ａ）は、同脱臭装置がキャビネットの左側面に取り付けられた状態を示す模式的斜視図であり、（ｂ）は、同脱臭装置の模式的斜視図である。
【図７】同脱臭装置の上ケース体の構成部材を示す模式的分解斜視図である。
【発明を実施するための形態】
【００１１】
以下に本発明の実施の形態について、図面に基づいて説明する。
なお、明細書中に、前後、左右、上下の方向を示す語句を用いて説明している箇所がある。これらの方向は、脱臭装置１が取り付けられたキャビネット（以下ではキッチンユニット９という）の正面（引出し操作の可能な側）にキッチン使用者が対面した状態における使用者の位置を基準とする。つまり、その状態の使用者から見て、手前側を前、奥側を後とし、左右、上下の方向も使用者を基準として説明する。また、キッチンユニット９の奥行方向をＤ、長手方向をＬとし、キッチンユニット９の長手方向Ｌの右側部分を９ａ、左側部分を９ｂとして説明する。
また、図中に示す矢印は空気が流れる方向を示しており、実線矢印は吸込口である第１吸気口３１，４１あるいは第２吸気口７１に吸い込まれる空気の流れを示している。また、白抜き矢印は脱臭装置１内の空気の流れを、点線矢印は吹出口である第１吹出口３０あるいは第２吹出口２１，２１から吹き出される空気の流れを示している。
【００１２】
本実施形態に係る脱臭装置１は、キッチンユニット９の端部の側面９５（９６）に取り付けられる。脱臭装置１は、キッチンユニット９の上面９１ａより突出して設けられる上ケース体２と、当該上ケース体２の下方に設けられ脱臭部８を有した機器本体３とで構成される。上ケース体２には、そのキッチンユニット９の側の側面である側壁７０ａに、キッチンユニット９の奥行方向Ｄの両側に離間して一対の開口部３１，３２が形成されている。また上ケース体２の内部には、第１ユニット４と第２ユニット５が格納されている。第１ユニット４は、脱臭部８と連通する空気流通路ｐ１（図４（ａ）参照），ｐ２（図４（ｂ）参照）の一部を構成し且つ一対の開口部３１，３２の一方の開口部３１（３２）に臨んで配置される空気流通口４１を有する。第２ユニット５は、一対の開口部３１，３２の他方の開口部３２（３１）を塞ぐよう設置される。第１ユニット４及び第２ユニット５は、一対の開口部３１，３２のどちらに対しても設置自在な構造とされている。
以下、詳しく説明する。
【００１３】
脱臭装置１の説明に入る前に、まずキッチンユニット９の構成について、図１（ａ）を用いて説明する。
キッチンユニット９は、平面視において略矩形状の箱状体であり、床面の上に設置されるキッチンユニット本体９０の上面にカウンター９１を載置して構成されている。カウンター９１の上面９１ａには、長手方向Ｌの左側部分９ｂにコンロ９２が、右側部分９ａにシンク９３が組み込まれている。
キッチンユニット本体９０の箱状体は、右側面９５、左側面９６、前面９７、裏面９８、底面（不図示）の面で構成され、前面９７は開口しており、その内部は物品収納空間とされている。
当該前面９７には、開閉自在な扉体（不図示）を設けるようにしてもよいし、図例のように、前面９７から物品収納空間内に前後方向にスライド自在に構成された複数の引出し９４を設けるようにしてもよい。また、引出し９４と扉体とを両方設けるようにしてもよいし、前面９７を開口状態のオープンラックとして、そこにゴミ箱や踏み台などを収容できるようにしてもよい。さらに引出し９４の個数も図例に限定されず、コンロ９２の下方には、魚焼きグリル（不図示）を配設したものとしてもよい。
キッチンユニット９の設置場所は限定されるものではないが、キッチンユニット９は、平面視において略直角に配された壁面（不図示）の入隅部（不図示）に、右側面９５（又は左側面９６）と裏面９８がそれぞれの壁面と接するように設置される。
カウンター９１は、平面視にて略矩形状の平板状に形成されており、天然大理石、人造大理石、樹脂材、ステンレス材あるいは木質材からなるカウンターとしてもよい。
【００１４】
カウンター９１の左側部分９ｂには、コンロ９２を嵌め込み設置（いわゆるビルトイン）するための開口部（不図示）が長手方向Ｌを長辺とした略長方形状に開設されている。
コンロ９２は、電磁調理器（ＩＨヒータ）としての３つの発熱体９２ｂ，９２ｂ，９２ｂと、発熱体９２ｂを囲むプレート部９２ａとから構成され、上述の開口部に嵌め込み設置される。ここに示す発熱体９２ｂ，９２ｂ，９２ｂは、長手方向Ｌに沿って３つ横並びに並列配置されている。
尚、発熱体９２ｂの数は１口や２口、或いは４口以上としてもよいし、発熱体９２ｂの配置も並列、三角形、四角形など特に限定されるものではない。さらに発熱体９２ｂとしては、ＩＨヒータに限定されず、ガスコンロ、電気発熱式コンロなどとしてもよい。
【００１５】
コンロ９２と間隔を空けて、カウンター９１の右側部分９ａには、シンク９３を嵌め込み設置（いわゆるビルトイン）するための開口部が長手方向Ｌを長辺とした略長方形状に開設されている。シンク９３は、上面開口の略矩形体からなり、上述の開口部に収まるように平面視において略長方形状に形成されている。シンク９３の近傍には、シンク９３に向けて水を放出できるように水栓蛇口９３ａが設置されている。シンク９３の奥行方向Ｄの右奥側のコーナー部９３ｂには、生ごみなどを捨てることができるゴミ容器Ａが設置されている。また、キッチン使用者の足元付近に当たる、キッチンユニット９の右側部分９ａの前面９７付近には、ゴミ箱Ｂが設置されている。
コンロ９２の上方部には、コンロ９２の発熱体９２ｂによる加熱調理の際に発生する湯気、油煙などの廃気を捕集するための換気装置（不図示）が設けられており、換気装置にはファンが内蔵され、廃気を吸引して外気に排気する送風部を有している。
【００１６】
次に、脱臭装置１がキッチンユニット９の右側面９５に取り付けられた状態における脱臭装置１の全体的な構成について、図１（ａ）、図１（ｂ）を参照しながら説明する。
図１（ａ）は、キッチンユニット９の右側面９５に脱臭装置１が設置された場合（以降、右側面設置用という）を示しており、図１（ｂ）はその状態の脱臭装置１のみを示した図である。
脱臭装置１は、全体の形状は縦長略矩形の中空の薄型箱状体であり、キッチンユニット９の上面９１ａより突出して設けられる上ケース体２と、その下方に設けられる機器本体７とで構成される。
上ケース体２は、横長略矩形状の中空の薄型箱状体であり、機器本体７は縦長略矩形状の中空の薄型箱状体である。尚、ここで縦長とは上下方向に細長い状態を示し、横長とは前後方向に細長い状態を示す。
機器本体７の箱状体は、シンク側面７０ａ、外側面（不図示）、前端面７０ｂ、後端面（不図示）、上端面７０ｃ及び底面（不図示）の面で構成され、シンク側面７０ａと外側面、また前端面７０ｂと後端面は互いに相対する面である。上端面７０ｃには、その奥行方向Ｄの略中央部分に上方に開口する上ケース体連通口７０ｅを３つ、さらに奥行方向Ｄの奥側部分に上方に開口する第１ユニット連通口７０ｄを１つ有している。
脱臭装置１は、機器本体７のシンク側面７０ａの略全面が、キッチンユニット９の右側面９５に接する状態でキッチンユニット９に取り付けられる。その際、前端面７０ｂはキッチンユニット９の前面９７と略面一となるように配され、後端面はキッチンユニット９の裏面９８と連なるように配置される。
脱臭装置１は、例えばキッチンユニット９の右側面９５と近接する壁（不図示）との空隙などの、できるだけ生活動線が確保されるような位置に設置されるのが望ましい。ただし、脱臭装置１の設置場所は限定されるものではなく、キッチンユニット９に取り付けられた際に、その周辺での作業や移動の妨げとならないような位置に設置されればよい。
【００１７】
次に脱臭装置１の構成について、図１（ｂ）、図２を用いてさらに詳しく説明する。
上ケース体２の箱状部分は、図２に示すように、上ケース本体部３、カバー部２０及び裏板２２で構成される。上ケース本体部３の、キッチンユニット９に臨む側壁３ａには、奥行方向Ｄの前側及び後ろ側の部分に、略矩形状に開口した一対の開口部３１，３２が、互いに離間した状態で設けられている。また、側壁３ａには、一対の開口部３１，３２の各々の間の位置に、シンク９３側に略矩形状に開口する第１吹出口３０が設けられている。また、上ケース本体部３の下端の面には、下方に略矩形状に開口する機器本体連通口３３が３つ形成されている。
カバー部２０は、上ケース本体部３の上方に設置され、カバー部２０には、奥行方向Ｄの前側及び後ろ側の部分に、上方に開口する一対の第２吹出口２１，２１が、互いが離間した状態で設けられている。
また、上ケース体２の内部には、略矩形の中空の箱状体である第１ユニット４と第２ユニット５が格納されている。
【００１８】
第１ユニット４は、図２に示すように、その本体は第１ユニット本体部４０で構成されている。その第１ユニット本体部４０の上ケース本体部３の前記側壁３ａに対面する開口部面４０ａには、略矩形状に開口する空気流通口４１が形成されており、これと前記一方の開口部３１とにより第１吸気口３１，４１が構成される。
この空気流通口４１は、機器本体７の内部の脱臭部８（後記する）と連通する空気流通路ｐ２（図４（ｂ）参照）の一部を構成している。また、この空気流通口４１が、一対の開口部３１，３２の一方の開口部３１に対して両者の開口部分がほぼ重なる状態で配置される。
また、第１ユニット本体部４０の奥行方向Ｄの前端面及び後端面の上側部分には、それぞれ、後記するフラップ６が取り付けられる第１ボス穴４２及び第２ボス穴４３が設けられている。これにより、フラップ６を、第１ユニット４の右側、左側のいずれの側にも取り付けることが可能な構成となっている。下端の面には、下方に略矩形状に開口する機器本体連通口４４が設けられている。
尚、上ケース体２が機器本体７の上部に設置された際には、機器本体７の第１ユニット連通口７０ｄ（図１（ｂ）参照）と、第１ユニット４の機器本体連通口４４とがほぼ重なり、空気の流通路が確保される。そのため、第１吸気口３１、４１から機器本体７の内部への空気の流通がこれらの第１ユニット連通口７０ｄと機器本体連通口４４を介してなされる。
【００１９】
第２ユニット５は、図２に示すように、その本体は第２ユニット本体部５０で構成されている。その第２ユニット本体部５０の奥行方向Ｄの後端面及び前端面の上側部分には、それぞれ、後記するフラップ６が取り付けられる第１ボス穴５３及び第２ボス穴５４が設けられている。これにより、フラップ６を、第２ユニット５の右側、左側のいずれの側にも取り付けることが可能な構成となっている。また、第２ユニット本体部５０の奥行方向Ｄの後端面及び前端面の下側部分には、それぞれ、後記する静電霧化器５１の噴射口５１ａが挿入される第１挿通口５５及び第２挿通口５６が設けられている。これにより、噴射口５１ａの向きを変えて、静電霧化器５１を第２ユニット本体部５０内に設置することが可能となる。
さらに、第２ユニット本体部５０内部の下方部分には、後記する静電霧化器５１が備えられている。静電霧化器５１の噴射口５１ａが、第２ユニット本体部５０の第１挿通口５５に挿入され、噴射口５１ａの先端部が、第２ユニット５の外部に出た状態となっている。これにより、第２ユニット５と第１ユニット４の間の空間に向けて噴射口５１ａから帯電微粒子水が噴射される構成となっている。
さらに、第２ユニット本体部５０の内部の上方部分には、フラップ６を回動させる機能を有するフラップ回動モータ５２が備えられている。
第２ユニット本体部５０の、上ケース本体部３の側壁３ａ側に向く第２ユニット表面５０ａにより、一対の開口部３１，３２のうち、第１ユニット４の空気流通口４１が配置されていない方の開口部３２が塞がれる。図１（ａ）及び（ｂ）では、開口部３２が第２ユニット表面５０ａにより塞がれているものが示されている。
また、薄い細長帯板状のフラップ６が、第１ユニット４と第２ユニット５との間に跨るように設置されており、このフラップ６は、脱臭部８で脱臭された空気の吹き出し方向を第１吹出口３０側及び第２吹出口２１，２１側のいずれかに切り換える役割を担う。フラップ６の奥行方向Ｄの両端部分には、２つのボス６３，６４が設けられている。これらのボス６３，６４が、それぞれ第１ユニット４の第１ボス穴４２及び第２ユニット５の第１ボス穴５３に差し込まれることにより、第１ユニット４と第２ユニット５との間で回動自在に支持されている。
フラップ６の板状部分であるフラップ部６０が、第２ユニット５に設けられたフラップ回動モータ５２の駆動源により、ボス６３，６４を回動軸として回動する。これにより、第１吹出口３０あるいは第２吹出口２１，２１のいずれか一方への空気の流通路を塞いで、他方から空気を吹き出す構成となっている。
【００２０】
機器本体７は、図１（ｂ）に示すように、内部空間の下方部に設けられた電源部７２と、後記する送風機８１（シロッコファン）のファンモータ８１ａのオンオフなどを制御する制御部７３と、中間部から上方部にかけて設けられた脱臭部８とを備える。さらに、脱臭装置１のオンオフの操作や、各部材の操作を行う操作部７５（不図示）が、設置場所は限定されないが、例えば機器本体７の前端面７０ｂや上ケース体２の側壁３ａなどに設置される。制御部７３と操作部７５については後述する。
脱臭部８の内部には、脱臭剤を備えた脱臭剤収納箱８０が設置されており、その上方には、脱臭された空気を第１吹出口３０あるいは第２吹出口２１，２１へ送風する送風機８１（シロッコファン）が３つ備えられている。尚、送風機８１の数量は限定されることはなく、設置スペースなどに応じて決めればよい。
脱臭剤収納箱８０は、内部の脱臭剤を交換するために、機器本体７の前端面７０ｂ側から引き出すことができるよう構成されており、脱臭剤としては、空気中に含まれる臭気成分を吸着し分解するための触媒が塗布されたものや活性炭などが用いられる。
また、機器本体７の前端面７０ｂには、機器本体７の保護や意匠性の付与の目的で、機器本体カバー７４が設置されている。また、シンク側面７０ａの上方部分に、機器本体７のメンテナンスなどの際に機器本体７を掴んで移動させることができる取手７０ｆが設けられていてもよい。
【００２１】
第２吸気口７１が、キッチンユニット本体部９０の右側部分９ａにおけるキッチン使用者の足元周辺の空気を吸気できるように、機器本体７の前端面７０ｂの下方側に平面視において縦長略矩形状に開口して形成されている。その場合、図例のように機器本体７の前端面７０ｂの周辺にゴミ箱Ｂを設置した際には、そこに貯留した生ゴミなどの臭いを周囲に広がらせることなく脱臭装置１に取り込むことができる（図１（ａ）の、第２吸気口７１へ向かう空気の流れ（ｉ１）参照）。
これによれば、前記した第１吸気口３１，４１と第２吸気口７１の２つの吸気口が設けられているため、吸気口が一つの場合と比べて吸気がなされる空間領域を増やすことができる。
【００２２】
次に、シロッコファン８１により生じる空気の流れについて説明する。
シロッコファン８１の内部の略中央部には空気を下方から上方へ移動させるファンモータ８１ａが備えられており、シロッコファン８１の下端部及び上端部には、それぞれ開口部分である下開口部８１ｂ及び上開口部８１ｃが形成されている。第１吸気口３１、４１あるいは第２吸気口７１からファンモータ８１ａの機能によって機器本体７の内部へ吸い込まれた空気は、脱臭剤収納箱８０を通る過程で脱臭剤により脱臭される。脱臭された空気は、上開口部８１ｃを介して、上方に設置されている上ケース体２へ吹き出される。その後空気は第１吹出口３０あるいは第２吹出口２１，２１から外部に吹き出される。
具体的には、シロッコファン８１の上開口部８１ｃの開口部分と、機器本体７の上ケース体連通口７０ｅと、上ケース本体部３の下端の機器本体連通口３３の開口部分とが互いにほぼ重なるような構成となっている。これにより、空気がこれらの開口部分を介して、機器本体７の内部から上ケース体２の内部へ移動することができる。
上述の空気の流れであるが、図１（ｂ）には空気を第２吸気口７１から吸い込み、第１吹出口３０から吹き出す構成を示しており（後記する第１パターンに相当）、この場合、ｉ１，ｐ１，ｅ１の矢印の順に空気が流れる。ｉ１は機器本体７へ吸い込まれるまでの空気の流れを、ｐ１は機器本体７及び上ケース体２の内部における空気の流れを、ｅ１は第１吹出口３０から吹き出す空気の流れを示している。尚、ｐ１は、機器本体７の内部の空気の流れを示したものであるが、同時に、機器本体７内部における空気流通路であることも示している。
尚、空気が第１吸気口３１，４１から吸気され、第２吹出口２１，２１から吹き出される構成（第２パターン）については後述する。
【００２３】
次に、静電霧化器５１について説明する。
上ケース体２の第２ユニット５内には、静電霧化器５１が設置され、その設置場所は特に限定されないが、図例のものは、静電霧化器５１が、中空の第２ユニット本体部５０の下方部に設けられている（図２参照）。上述のように、静電霧化器５１の噴射口５１ａが、第２ユニット本体部５０の第１挿通口５５に挿入されており、噴射口５１ａの先端部から、第２ユニット５と第１ユニット４の間の空間に向けて帯電微粒子水が噴射される。
静電霧化器５１の構成は、特に限定されず、例えば、本体ケース内にピン状の放電電極（霧化電極）と、この放電電極に対向して配置され放電電極と同軸状の開口を有してリング形状とされた対向電極とを備えたものとしてもよい。そして、これら放電電極と、対向電極との間に高電圧を印加することで放電現象を生じさせ、放電電極に保持された水分を静電霧化させることで、帯電微粒子水を電極間から吐出する構成とされたものとしてもよい。また、この帯電微粒子水としては、ナノメートルサイズの粒子径のもの（例えば、５ｎｍ〜２０ｎｍ程度）を含む帯電した微粒子液滴で、空気中にミスト状態で浮遊可能なものとしてもよい。
この静電霧化器５１から排出される帯電微粒子水とともに第１吹出口３０から放出される空気は、より脱臭効果が高く、静電霧化器５１を駆動させておくことにより、シンク９３周りなどのカビ菌などの繁殖を抑えることもできる。
【００２４】
次に、フラップ６による空気の吹き出し口の切り換えについて、図１（ｂ）、図３、図４（ａ）、図４（ｂ）を用いて説明する。
図１（ｂ）及び図４（ａ）は、第２吸気口７１から空気が吸い込まれ、第１吹出口３０から空気が吹き出すパターン（第１パターン）を示す図である。図３及び図４（ｂ）は、第１吸気口３１，４１から空気が吸い込まれ、第２吹出口２１，２１から空気が吹き出すパターン（第２パターン）を示す図である。
第１パターンでは、第２吸気口７１から吸い込まれた空気が第１吹出口３０から吹き出す構成であり、ｉ１，ｐ１，ｅ１の矢印の順に空気が流れる。
【００２５】
一方、第２パターンにおける空気の流れであるが、図４（ｂ）に示すように、第１吸気口３１、４１から吸い込まれた空気は、機器本体７内部を下方に移動する。脱臭部８の下方まで移動した空気はシロッコファン８１により上方に吸い上げられて脱臭がなされ、上ケース体２に入り第２吹出口２１，２１から吹き出す構成である。空気はｉ２，ｐ２，ｅ２の矢印の順に流れ、ｐ２は空気流通路を形成する。
また、第２パターンにおける、第１吸気口３１，４１からの吸気についてであるが、第１吸気口３１，４１は、シンク９３の近傍に開口しているので、シンク９３周辺の空気を効率よく吸気できる。よって、図例のようにシンク９３のコーナー部９３ｂにゴミ容器Ａを設置した場合、そこに貯留した生ゴミなどの臭いを周囲に広がらせることなく脱臭装置１に取り込むことができる（図１（ａ）の、第１吸気口３１、４１へ向かう空気の流れ（ｉ２）参照）。
第１吸気口３１、４１の設置位置や形状などは、特に限定されないが、図例のように、シンク９３の奥行方向Ｄの中間位置よりも奥側に設けることが望ましい。このように構成した場合は、シンク９３の奥側コーナー部９３ｂの臭気をより一層効率よく脱臭装置１に取り込むことができ、生ゴミ等から発生する臭いを効果的に脱臭することができる。
また、コンロ９２とシンク９３とが長手方向Ｌに沿って並んで設けられるので、第１吹出口３０から吹き出した空気はシンク９３からコンロ９２側へ流れやすくなる。これにより、シンク９３内だけでなく、コンロ９２の設置箇所に到るまで、カウンター９１の上面９１ａの長手方向Ｌの略全域に亘って、脱臭した空気を拡散させることができる。
さらに、第２パターンでは、第１吸気口３１，４１から吸気された空気が、それと隣り合う第１吹出口３０から吹き出される構成ではないため、第１吹出口３０から吹き出された脱臭後の空気が隣り合う第１吸気口３１，４１からすぐに吸気されてしまう虞はない。
以上の構成によれば、第２吸気口７１から吸気され第１吹出口３０から空気が吹き出すパターンと、第１吸気口３１，４１から吸気され第２吹出口２１，２１から空気が吹き出すパターンがある。この構成においては、第１吸気口３１，４１と第２吸気口７１のいずれか一方を開口し、他方を閉じる切り換え機能や、空気の吹出口を第１吹出口３０と第２吹出口２１，２１の間で切り換える機能が設けられていることが望ましい。さらには、吸気口の切り換えと、吹出口の切り換えが連動するようにされていることが望ましい。この切り換え機能については後述の操作部の箇所で詳説する。
【００２６】
また、フラップ６による第１吹出口３０と第２吹出口２１，２１との間の吹出口の切り換えは、静電霧化器５１の駆動・非駆動と連動させてもよい。すなわち、静電霧化器５１の駆動時には、生成される帯電微粒子水による殺菌作用がより有効に発揮されるべく、吹出口を第１吹出口３０とするようにしてもよい。
つまり、静電霧化器５１が駆動した際には、図４（ａ）に示すようにフラップ部６０を上方へあげて第１吹出口３０を開とする。第２吹出口２１，２１側はフラップ６によって閉塞されているため、脱臭部８で脱臭され機器本体連通口３３を通じて上ケース体２内に送風された空気とともに帯電微粒子水が、第１吹出口３０から吹き出される（図４（ａ）の矢印方向参照）。
一方、静電霧化器５１が非駆動の際には、フラップ部６０を下方へ下げて、第２吹出口２１，２１を開とする（図４（ｂ）参照）。すると、脱臭部８で脱臭され機器本体連通口３３を通じて上ケース体２内に送風された空気は、上ケース体２内の上方に移動し第２吹出口２１，２１から吹き出される。このとき、第１吹出口３０はフラップ部６０によって閉塞された状態となるため、第１吹出口３０から空気が吹き出されることはない。
以上によれば、静電霧化器５１の駆動時には、空気の吹出口を第１吹出口３０とすることができるため、静電霧化器５１から生じた帯電微粒子水を含む空気を、ゴミ容器Ａを含むシンク９３の付近に吹き出すことにより、当該箇所の効率的な殺菌ができる。
尚、フラップ６の構成は図例に限定されず、またその開閉（回動）は手動としてもよいが、静電霧化器５１の駆動・非駆動をトリガとして自動的に開閉する構成としてもよい。
さらに、上述した吸気口及び吹出口の組合せに限定されることはない。例えば、第１吸気口３１，４１及び第２吸気口７１から空気が吸い込まれるよう設定し、静電霧化器５１を駆動させずに、フラップ６を図４（ｂ）の状態にして第２吹出口２１，２１のみから空気が吹き出す構成としてもよい。
また、第２吸気口７１のみから空気が吸い込むよう設定し、静電霧化器５１を駆動させずに、フラップ６による切り換えを行って、第１吹出口３０または第２吹出口２１，２１のいずれかから空気が吹き出す構成としてもよい。
【００２７】
図５は、同脱臭装置１の各部材の駆動回路を示すブロック図である。
電源部７２及び操作部７５が制御部７３に接続されており、制御部７３には、静電霧化器５１、フラップ回動モータ５２及びファンモータ８１ａが接続されている。操作部７５で何らかの操作がなされると、その信号が制御部７３に伝達され、制御部７３で操作内容が判断されて、その操作内容に応じて、該当する各部材においてそれぞれの駆動が実行される。
操作部７５の操作内容としては、例えば、静電霧化器５１、フラップ回動モータ５２、ファンモータ８１ａなどのオンオフの切り換えや、空気の吸い込み力、吹き出し力の調整、オンオフのタイマー設定などが考えられる。また、これらの操作を行う操作部７５自体は、操作のしやすい適所に設けられ、例えば機器本体７の前端面７０ｂや上ケース本体部３の側壁３ａに設けられていてもよい。
また、第１吸気口３１，４１と第２吸気口７１のいずれか一方を開口し他方を閉じる操作を行う吸気口切換弁（不図示）や、吹出口を第１吹出口３０と第２吹出口２１，２１の間で切り換える吹出口切換弁（不図示）の操作ができるように構成されていてもよい。
さらに、吸気口切換弁及び吹出口切換弁の各々の選択パターンの組合せを選択できるよう構成されていてもよい。つまり、吸気口として第１吸気口３１，４１を選択し且つ吹出口として第２吹出口２１，２１を選択するパターンと、吸気口として第２吸気口７１を選択し且つ吹出口として第１吹出口３０を選択するパターンのいずれかが選択されるように設定されていてもよい。
さらに、吸気口として第１吸気口３１，４１が選択される時は、同時に静電霧化器５１が駆動し、第２吸気口７１が選択される時は、同時に静電霧化器５１が駆動しない構成としてもよい。
【００２８】
次に、キッチンユニット９の左側面９６に脱臭装置１が設置された場合（以降、左側面設置用という）について、図６（ａ）、（ｂ）及び図７を用いて説明する。
図６（ａ）は、シンク９３がカウンター９１の上面９１ａの左側部分９ｂに設けられたキッチンユニット９において、当該シンク９３側の側面である左側面９６に脱臭装置１が取り付けられた状態を示す模式的斜視図である。図６（ｂ）は、その状態における同脱臭装置１のみを示す模式的斜視図である。図７は、図６（ａ）及び図６（ｂ）に示す脱臭装置１の上ケース体２の構成部材を示す模式的分解斜視図である。
キッチンユニット９の構成部材は図１（ａ）と同様のものが用いられているため、各々の説明は重複のため割愛するが、カウンター９１の構成部材の配置は、図１（ａ）とは略左右対称となっている。すなわち、シンク９３はカウンター９１の長手方向Ｌの左側部分９ｂに形成されており、その奥行方向Ｄの左奥側のコーナー部９３ｂにゴミ容器Ａが設置される。第１吸気口３１，４１がシンク９３のゴミ容器Ａの、第２吸気口７１がキッチン使用者の足元のゴミ箱Ｂの付近の脱臭を行う点は図１（ａ）と同様である。
左側面設置用の脱臭装置１は、右側面設置用の脱臭装置１の構成部材と同じ構成部材を用いて組み立てることができるが、構成部材の中には、組み立て時に右側面設置用の時と向きを換えることが必要なものがある（図６（ｂ）、図７参照）。
具体的には、上ケース体２の上ケース本体部３は、右側面設置用の時と上下方向の位置を保ったままで、奥行方向Ｄの向きを、右側面設置用の設置位置から１８０度転換して、キッチンユニット９の左側面９６側に設置される。また、カバー部２０、第１ユニット４、第２ユニット５、裏板２２も同様に設置される。
その際、右側面設置用とは異なり、第１ユニット４の空気流通口４１が、一対の開口部３１，３２の一方の開口部３２に対して、両者の開口部分がほぼ重なるように設置される。また、第２ユニット５の第２ユニット表面５０ａにより、一対の開口部３１，３２のうち、第１ユニット４の空気流通口４１が配置されていない方の開口部３１が塞がれる。さらに、フラップ６は、ボス６３が第２ユニット５の第２ボス穴５４に、ボス６４が第１ユニット４の第２ボス穴４３に差し込まれることにより、第１ユニット４と第２ユニット５との間で回動自在に支持される。そして、静電霧化器５１及びフラップ回動モータ５２は、第２ユニット本体部５０内のフラップ６側に設置される。静電霧化器５１の噴射口５１ａは、右側面設置用の場合は第２ユニット本体部５０の第１挿通口５５に挿入されるが、本実施形態では第２挿通口５６に挿入される。機器本体７及び、その内部に存する部材（電源部７２、制御部７３、シロッコファン８１など）は、右側面設置用に各々が設置された状態における向きと同じ向きを保ったまま設置される。
尚、第２ユニット５、静電霧化器５１及びフラップ回動モータ５２が、右側面設置用に各々が設置された状態における向きと同じ向きを保ったまま、キッチンユニット９の左側面９６側に設置されるようにしてもよい。その際、第２ユニット表面５０ａと対向する面（不図示）を形成し、それにより開口部３１が塞がれるものとしてもよい。また、フラップ６は、ボス６３，６４が、それぞれ第２ユニット５の第１ボス穴５３及び第１ユニット４の第２ボス穴４３に差し込まれることにより、第１ユニット４と第２ユニット５との間で回動自在に支持されるようにしてもよい。
以上の構成によれば、第１ユニット４及び第２ユニット５は、一対の開口部３１，３２のどちらに対しても設置自在な構造であるため、同じ構成部材を使って右側面設置用及び左側面設置用の脱臭装置を構成することができる。つまり、キッチンユニット９に設置される右側面設置用及び左側面設置用の脱臭装置を、同じ構成部材（上ケース本体部３、カバー部２０、第１ユニット４、第２ユニット５、裏板２２、機器本体７）を組み合わせて構成することができる。そのため、右側面設置用、左側面設置用の２種類の仕様の部材を製造する必要がなく、部材製造のコストを抑えることができる。また、シンク９３が、カウンター９１の上面９１ａの左右いずれの側に設置されていても、脱臭装置１の設置場所をそれに対応させることができるため、シンク９３側の脱臭を効果的に行うことができる。
【００２９】
尚、実施形態で説明した各部材などの構成は図例に限定されるものではない。
脱臭装置１が取り付けられるキャビネット９としては、キッチンユニット９に限定されることはなく、洗面台や収納キャビネットなどであってもよい。
キッチンユニット９の構成は、図例のＩ型に限定されず、Ｌ型であってもよい。また図例の壁面設置型のものに限定されず、いわゆるアイランド型や半島型のものであってもよい。
脱臭装置１の設置位置は、キッチンユニット９のシンク９３側の端部の側面に限定されず、コンロ側９２であってもよい。
第１吹出口３０の設置位置、形状などは図例のものに限定されることはなく、上ケース本体３の側壁３ａの奥行方向Ｄの略中央部分に、キッチンユニット９側に開口した開口部として設けられていればよい。
また第２吹出口２１、２１の設置位置、形状などは図例のものに限定されることはなく、カバー部２０の全面に、奥行方向Ｄの前後いずれか一方の側に、あるいは略中央部分のみに上方に開口した開口部として形成されていてもよい。
第２吸気口７１の設置位置、形状などは図例のものに限定されることはなく、機器本体７の前端面７０ｂの下方側に設けられていればよい。また、前端面７０ｂに加えて後端面にさらに設けられていてもよい。
機器本体７、上ユニット本体部３、カバー部２０、第１ユニット４、第２ユニット５、フラップ６、シロッコファン８１などの設置位置、形状などは図例のものに限定されることはない。
上ケース体連通口７０ｅ、第1ユニット連通口７０ｄ、機器本体連通口３３、機器本体連通口４４の設置位置、形状などは図例のものに限定されることはなく、隣接する部材の開口部と自身の開口部とが連通するように構成されていればよい。
【符号の説明】
【００３０】
１        脱臭装置
２        上ケース体
４        第１ユニット
５        第２ユニット
７        機器本体
８        脱臭部
９        キャビネット
９５      端部の側面（右側面）
９６      端部の側面（左側面）
９１ａ    上面
３１，３２    開口部
３１（３２）  一方の開口部（第１吸気口）
３２（３１）  他方の開口部
ｐ１，ｐ２    空気流通路
４１      空気流通口（第１吸気口）
Ｄ        奥行方向
【図１】
0005838360.tif 000002
【図２】
0005838360.tif 000003
【図３】
0005838360.tif 000004
【図４】
0005838360.tif 000005
【図５】
0005838360.tif 000006
【図６】
0005838360.tif 000007
【図７】
0005838360.tif 000008